(57)【要約】【課題】広域無線回線を介して情報を収集する収集装置が、近距離無線回線を介して情報を送信する送信装置から、携帯端末を介して情報を収集する場合に、携帯端末を収集装置へ近づける技術を提供する。【解決手段】収集情報取得部２０２０は、収集情報を取得する。収集情報送信部２０４０は収集情報を携帯端末３０００へ送信する。収集情報受信部３０２０は情報送信装置２０００から収集情報を受信する。収集情報送信部３０４０は収集情報を収集装置４０００へ送信する。収集情報受信部４０２０は携帯端末３０００から収集情報を受信する。中継検知部５０２０は、携帯端末３０００が収集情報の受信又は送信を行ったことを検知する。特典付与部５０４０は、中継検知部５０２０が携帯端末３０００によって収集情報の受信又は送信が行われたことを検知した場合に、その携帯端末３０００に特典を付与する。【選択図】図１
2015103037.tif 000002
【特許請求の範囲】
【請求項１】
情報送信装置、携帯端末、及び収集装置を有する情報収集システムであって、
前記情報送信装置は、
収集情報を取得する収集情報取得手段と、
近距離無線回線を介して、前記収集情報を前記携帯端末へ送信する収集情報送信手段と、を有し、
前記携帯端末は、
前記近距離無線回線を介して、前記情報送信装置から前記収集情報を受信する収集情報受信手段と、
広域無線回線を介して、前記収集情報を前記収集装置へ送信する収集情報送信手段と、を有し、
前記収集装置は、前記広域無線回線を介して、前記携帯端末から前記収集情報を受信する収集情報受信手段と、を有し、
前記携帯端末が前記収集情報の受信又は送信を行ったことを検知する中継検知手段と、
前記中継検知手段が、前記携帯端末によって前記収集情報の受信又は送信が行われたことを検知した場合に、その携帯端末に特典を付与する特典付与手段と、
を有する情報収集システム。
【請求項２】
前記携帯端末は、
前記特典付与手段によって付与された特典の内容を表す情報である特典付与情報を取得する特典付与情報取得手段と、
前記特典付与情報を前記情報送信装置に対して送信する特典付与情報送信手段と、
を有し、
前記情報送信装置は、
前記携帯端末から前記特典付与情報を受信する特典付与情報受信手段と、
所定タスクを実行するタスク実行手段と、を有し、
前記タスク実行手段は、前記特典付与情報受信手段によって受信された前記特典付与情報が示す前記特典に応じて、前記所定タスクの実行を制御する、
請求項１に記載の情報収集システム。
【請求項３】
前記携帯端末に対し、前記特典付与手段によって付与される前記特典の内容を示す情報である特典通知情報を送信する特典通知情報送信手段と、
前記収集情報に対応づけて、その収集情報の受信又は送信を行ったことによって前記特典付与手段から前記特典を付与された前記携帯端末の数である付与済端末数を格納する付与済端末数格納手段と、を有し、
前記携帯端末は、前記特典通知情報を受信する特典通知情報受信手段を有し、
前記特典付与手段は、前記中継検知手段が、前記携帯端末によって前記収集情報の受信又は送信が行われたことを検知した場合、その収集情報に対応する前記付与済端末数が所定端末数以下であるときのみ、その携帯端末に対して特典を付与し、かつその付与済端末数を更新する、
請求項１又は２に記載の情報収集システム。
【請求項４】
前記特典通知情報は前記所定端末数を含む請求項３に記載の情報収集システム。
【請求項５】
各前記携帯端末について、前記情報送信装置との間の電波強度を取得する電波強度取得手段を有し、
前記特典通知情報送信手段は、前記電波強度が所定強度以上である前記携帯端末に対してのみ、前記特典通知情報を通知する、
請求項３又は４に記載の情報収集システム。
【請求項６】
前記中継検知手段は、
前記携帯端末が前記収集情報の受信を行ったことを検知する受信検知手段と、
前記携帯端末が前記収集情報の送信を行ったことを検知する送信検知手段と、
を有し、
前記特典付与手段は、
前記受信検知手段が、前記携帯端末によって前記収集情報の受信が行われたことを検知した場合に、その携帯端末に第１特典を付与する第１特典付与手段と、
前記送信検知手段が、前記携帯端末によって前記収集情報の送信が行われたことを検知した場合に、その携帯端末に第２特典を付与する第２特典付与手段と、
を有する請求項１乃至５いずれか一項に記載の情報収集システム。
【請求項７】
前記中継検知手段は、
前記携帯端末が前記収集情報の受信を行ったことを検知する受信検知手段と、
前記携帯端末が前記収集情報の送信を行ったことを検知する送信検知手段と、
を有し、
前記特典付与手段は、同一の前記収集情報及び同一の前記携帯端末について、前記受信検知手段による検知及び前記送信手段による検知の双方が行われた場合のみ、その携帯端末に対して特典を付与する、
請求項１乃至５いずれか一項に記載の情報収集システム
【請求項８】
前記情報送信装置は前記受信検知手段を有し、
前記収集装置は前記送信検知手段を有する請求項６又は７に記載の情報収集システム。
【請求項９】
前記情報送信装置又は前記収集装置は、前記中継検知手段を有し、
前記情報送信装置又は前記収集装置は、前記特典付与手段を有する請求項１乃至８いずれか一項に記載の情報収集システム。
【請求項１０】
情報収集システムによって実行される情報収集方法であって、
前記情報収集システムは、情報送信装置、携帯端末、収集装置、中継検知手段、及び特典付与手段を有し、
当該情報収集方法は、
前記情報送信装置が、収集情報を取得する収集情報取得ステップと、
前記情報送信装置が、近距離無線回線を介して、前記収集情報を前記携帯端末へ送信する第１収集情報送信ステップと、
前記携帯端末が、前記近距離無線回線を介して、前記情報送信装置から前記収集情報を受信する第１収集情報受信ステップと、
前記携帯端末が、広域無線回線を介して、前記収集情報を前記収集装置へ送信する第２収集情報送信ステップと、
前記収集装置が、前記広域無線回線を介して、前記携帯端末から前記収集情報を受信する第２収集情報受信ステップと、
前記中継検知手段が、前記携帯端末が前記収集情報の受信又は送信を行ったことを検知する中継検知ステップと、
前記特典付与手段が、前記中継検知ステップにおいて、前記携帯端末によって前記収集情報の受信又は送信が行われたことが検知された場合に、その携帯端末に特典を付与する特典付与ステップと、
を有する情報収集方法。
【請求項１１】
前記携帯端末が、前記特典付与ステップによって付与された特典の内容を表す情報である特典付与情報を取得する特典付与情報取得ステップと、
前記携帯端末が、前記特典付与情報を前記情報送信装置に対して送信する特典付与情報送信ステップと、
前記情報送信装置が、前記携帯端末から前記特典付与情報を受信する特典付与情報受信ステップと、
前記情報送信装置が、所定タスクを実行するタスク実行ステップと、を有し、
前記タスク実行ステップは、前記特典付与情報受信ステップによって受信された前記特典付与情報に示される前記特典に応じて、前記所定タスクの実行を制御する、
請求項１０に記載の情報収集方法。
【請求項１２】
前記情報収集システムは、特典通知情報送信手段及び付与済端末数格納手段を有し、
前記付与済端末数格納手段は、前記収集情報に対応づけて、その収集情報の受信又は送信を行ったことによって前記特典付与ステップで前記特典を付与された前記携帯端末の数である付与済端末数を格納し、
当該情報収集方法は、
前記特典通知情報送信手段が、前記携帯端末に対し、前記特典付与ステップによって付与される前記特典の内容を示す情報である特典通知情報を送信する特典通知情報送信ステップと、
前記携帯端末が、前記特典通知情報を受信する特典通知情報受信ステップと、を有し、
前記特典付与ステップは、前記中継検知ステップが、前記携帯端末によって前記収集情報の受信又は送信が行われたことを検知した場合、その収集情報に対応する前記付与済端末数が所定端末数以下であるときのみ、その携帯端末に対して特典を付与し、かつその付与済端末数を更新する、
請求項１０又は１１に記載の情報収集方法。
【請求項１３】
前記特典通知情報は前記所定端末数を含む請求項１２に記載の情報収集方法。
【請求項１４】
前記情報収集システムは、電波強度取得手段を有し、
当該情報収集方法は、前記電波強度取得手段が、各前記携帯端末について、前記情報送信装置との間の電波強度を取得する電波強度取得ステップを有し、
前記特典通知情報送信ステップは、前記電波強度が所定強度以上である前記携帯端末に対してのみ、前記特典通知情報を通知する、
請求項１２又は１３に記載の情報収集方法。
【請求項１５】
前記中継検知手段は、受信検知手段と送信検知手段を有し、
前記特典付与手段は、第１特典付与手段と第２特典付与手段を有し、
前記中継検知ステップは、
受信検知手段が、前記携帯端末が前記収集情報の受信を行ったことを検知する受信検知ステップと、
前記送信検知手段が、前記携帯端末が前記収集情報の送信を行ったことを検知する送信検知ステップと、
を有し、
前記特典付与ステップは、
前記第１特典付与手段が、前記受信検知ステップにおいて、前記携帯端末によって前記収集情報の受信が行われたことが検知された場合に、その携帯端末に第１特典を付与する第１特典付与ステップと、
前記第２特典付与手段が、前記送信検知ステップにおいて、前記携帯端末によって前記収集情報の送信が行われたことが検知された場合に、その携帯端末に第２特典を付与する第２特典付与ステップと、
を有する請求項１０乃至１４いずれか一項に記載の情報収集方法。
【請求項１６】
前記中継検知手段は、受信検知手段と送信検知手段を有し、
前記中継検知ステップは、
前記受信検知手段が、前記携帯端末が前記収集情報の受信を行ったことを検知する受信検知ステップと、
前記送信検知手段が、前記携帯端末が前記収集情報の送信を行ったことを検知する送信検知ステップと、
を有し、
前記特典付与ステップは、同一の前記収集情報及び同一の前記携帯端末について、前記受信検知ステップにおける検知及び前記送信ステップにおける検知の双方が行われた場合のみ、その携帯端末に対して特典を付与する、
請求項１０乃至１４いずれか一項に記載の情報収集方法
【請求項１７】
前記情報送信装置は前記受信検知手段を有し、
前記収集装置は前記送信検知手段を有する請求項１５又は１６に記載の情報収集方法。
【請求項１８】
前記情報送信装置又は前記収集装置は、前記中継検知手段を有し、
前記情報送信装置又は前記収集装置は、前記特典付与手段を有する請求項１０乃至１７いずれか一項に記載の情報収集方法。
【請求項１９】
情報収集システムを制御するプログラムであって、
前記情報収集システムは、情報送信装置、携帯端末、及び収集装置を有し、
当該プログラムは、前記情報送信装置に、
収集情報を取得する収集情報取得機能と、
近距離無線回線を介して、前記収集情報を前記携帯端末へ送信する収集情報送信機能と、を持たせ、
当該プログラムは、前記携帯端末に、
前記近距離無線回線を介して、前記情報送信装置から前記収集情報を受信する収集情報受信機能と、
広域無線回線を介して、前記収集情報を前記収集装置へ送信する収集情報送信機能と、を持たせ、
当該プログラムは、前記収集装置に、
前記広域無線回線を介して、前記携帯端末から前記収集情報を受信する収集情報受信機能を持たせ、
当該プログラムは、前記情報送信装置又は前記収集装置に、
前記携帯端末が前記収集情報の受信又は送信を行ったことを検知する中継検知機能と、
前記中継検知機能によって、前記携帯端末によって前記収集情報の受信又は送信が行われたことが検知された場合に、その携帯端末に特典を付与する特典付与機能と、
を持たせるプログラム。
【請求項２０】
前記携帯端末に、
前記特典付与機能によって付与された特典の内容を表す情報である特典付与情報を取得する特典付与情報取得機能と、
前記特典付与情報を前記情報送信装置に対して送信する特典付与情報送信機能と、を持たせ、
前記情報送信装置に、
前記携帯端末から前記特典付与情報を受信する特典付与情報受信機能と、
所定タスクを実行するタスク実行機能と、を持たせ、
前記タスク実行機能は、前記特典付与情報受信機能によって受信された前記特典付与情報に示される前記特典に応じて、前記所定タスクの実行を制御する、
請求項１９に記載のプログラム。
【請求項２１】
前記情報送信装置又は前記収集装置は、前記収集情報に対応づけて、その収集情報の受信又は送信を行ったことによって前記特典付与機能で前記特典を付与された前記携帯端末の数である付与済端末数を格納し、
当該プログラムは、
前記情報送信装置又は前記収集装置に、前記携帯端末に対し、前記特典付与機能によって付与される前記特典の内容を示す情報である特典通知情報を送信する特典通知情報送信機能を持たせ、
前記携帯端末に、前記特典通知情報を受信する特典通知情報受信機能を持たせ
前記特典付与機能は、前記中継検知機能が、前記携帯端末によって前記収集情報の受信又は送信が行われたことを検知した場合、その収集情報に対応する前記付与済端末数が所定端末数以下であるときのみ、その携帯端末に対して特典を付与し、かつその付与済端末数を更新する、
請求項１９又は２０に記載のプログラム。
【請求項２２】
前記特典通知情報は前記所定端末数を含む請求項２１に記載のプログラム。
【請求項２３】
前記情報送信装置又は前記収集装置に、各前記携帯端末について、前記情報送信装置との間の電波強度を取得する電波強度取得機能を持たせ、
前記特典通知情報送信機能は、前記電波強度が所定強度以上である前記携帯端末に対してのみ、前記特典通知情報を通知する、
請求項２１又は２２に記載のプログラム。
【請求項２４】
前記中継検知機能は、
前記携帯端末が前記収集情報の受信を行ったことを検知する受信検知機能と、
前記携帯端末が前記収集情報の送信を行ったことを検知する送信検知機能と、
を有し、
前記特典付与機能は、
前記受信検知機能によって、前記携帯端末によって前記収集情報の受信が行われたことが検知された場合に、その携帯端末に第１特典を付与する第１特典付与機能と、
前記送信検知機能によって、前記携帯端末によって前記収集情報の送信が行われたことが検知された場合に、その携帯端末に第２特典を付与する第２特典付与機能と、
を有する請求項１９乃至２３いずれか一項に記載のプログラム。
【請求項２５】
前記中継検知機能は、
前記携帯端末が前記収集情報の受信を行ったことを検知する受信検知機能と、
前記携帯端末が前記収集情報の送信を行ったことを検知する送信検知機能と、
を有し、
前記特典付与機能は、同一の前記収集情報及び同一の前記携帯端末について、前記受信検知機能による検知及び前記送信機能による検知の双方が行われた場合のみ、その携帯端末に対して特典を付与する、
請求項１９乃至２３いずれか一項に記載のプログラム
【請求項２６】
前記情報送信装置に、前記受信検知機能を持たせ、
前記収集装置に、前記送信検知機能を持たせる請求項２４又は２５に記載のプログラム。
【請求項２７】
請求項１乃至９いずれか一項に記載の情報収集システムが有する情報送信装置。
【請求項２８】
請求項１乃至９いずれか一項に記載の情報収集システムが有する携帯端末。
【請求項２９】
請求項１乃至９いずれか一項に記載の情報収集システムが有する収集装置。
【発明の詳細な説明】
【技術分野】
【０００１】
本発明は、情報収集システム、情報収集方法、プログラム、情報送信装置、携帯端末、及び収集装置に関する。
【背景技術】
【０００２】
サーバが、情報収集の対象である機器から情報を収集し、収集した情報を用いてそれらの機器を管理するシステムがある。例えば、自動販売機の管理システムは、販売機会の損失を減らすために、自動販売機から在庫情報を収集して、自動販売機における品切れの検出や、品切れとなる時期の予測などを行う。また例えばプロパンガスの管理システムは、プロパンガスの配送業務を効率化するために、プロパンガスのガスボンベからガス残量に関する情報を収集する。
【０００３】
情報の収集を行う技術に関連する技術を開示している文献として、特許文献１〜３が挙げられる。特許文献１は、PHS (Personal Handy-Phone System）回線を介して、自動販売機の販売情報を収集する技術を開示している。各自動販売機にPHS通信を行う装置を設ける。そして、各自動販売機は、PHS 通信を行って、センタへ情報を送信する。
【０００４】
特許文献２は、無線 IC タグを用いてエレベータの保守情報を収集する技術を開示している。具体的には、エレベータに、無線 IC タグから保守情報を送信する機能を持たせ、無線 IC タグのリーダを備えた専用の携帯端末を用いてその無線 IC タグを読み取ることで、エレベータから保守情報を収集する。そして、携帯端末によって収集された情報は、作業員の事務所にある端末装置へ転送される。
【０００５】
特許文献３は、低機能端末装置が送信する情報を、高機能端末装置を介して、基地局へ送信する通信システムを開示している。高機能端末装置は、所定の電話番号を持つ低機能端末装置から送信された情報のみを中継するように制御する認証機能を有する。
【先行技術文献】
【特許文献】
【０００６】
【特許文献１】特開２００３−０２３５０３号広報
【特許文献２】特開２００７−０８４１９１号公報
【特許文献３】特開２００７−１５１００６号広報
【特許文献４】特開２００２−０５６２８３号公報
【特許文献５】特開２００６−１６７０８４号公報
【発明の概要】
【発明が解決しようとする課題】
【０００７】
本発明者は、広域無線回線を介して情報を収集する収集装置が、近距離無線回線を介して情報を送信する送信装置から、携帯端末を介して情報を収集する情報収集システムの構築を検討した。その中で、本発明者は、このようなシステムにおいては、携帯端末を送信装置へ近づかせる必要があることを見出した。まず、携帯端末が送信装置と通信可能な場所に位置していないと、携帯端末は、送信装置から情報を取得できない。その結果、収集装置は情報を収集できない。また、携帯端末が自然に送信装置へ近づくことを待っていると、収集装置が情報を収集するために要する時間が長くなってしまう。
【０００８】
特許文献４は、カーナビゲーション等のナビゲーションシステムにおいて、特定の店舗へ来店した場合に得られる特典について通知することで、店舗の集客力を向上させるシステムを開示している。しかし、特許文献４は、情報収集を行うシステムにおいて送信装置へ携帯端末を近づかせるための技術及び思想を開示していない。
【０００９】
また、特許文献５は、遊技機において特典を付与する技術を開示している。しかし、特許文献５も、情報収集を行うシステムにおいて送信装置へ携帯端末を近づかせるための技術及び思想は開示されていない。
【００１０】
本発明は、以上の課題に鑑みてなされたものである。本発明の目的は、広域無線回線を介して情報を収集する収集装置が、近距離無線回線を介して情報を送信する送信装置から携帯端末を介して情報を収集する場合に、携帯端末を収集装置へ近づける技術を提供することである。
【課題を解決するための手段】
【００１１】
本発明が提供する情報収集システムは、情報送信装置、携帯端末、及び収集装置を有する。前記情報送信装置は、収集情報を取得する収集情報取得手段と、近距離無線回線を介して、前記収集情報を前記携帯端末へ送信する収集情報送信手段と、を有する。前記携帯端末は、前記近距離無線回線を介して、前記情報送信装置から前記収集情報を受信する収集情報受信手段と、広域無線回線を介して、前記収集情報を前記収集装置へ送信する収集情報送信手段と、を有する。前記収集装置は、前記広域無線回線を介して、前記携帯端末から前記収集情報を受信する収集情報受信手段と、を有する。この情報収集システムは、さらに、前記携帯端末が前記収集情報の受信又は送信を行ったことを検知する中継検知手段と、前記中継検知手段が、前記携帯端末によって前記収集情報の受信又は送信が行われたことを検知した場合に、その携帯端末に特典を付与する特典付与手段と、を有する。
【００１２】
本発明が提供する情報収集方法は、本発明が提供する情報収集システムによって実行される。当該情報収集方法は、前記情報送信装置が、収集情報を取得する収集情報取得ステップと、前記情報送信装置が、近距離無線回線を介して、前記収集情報を前記携帯端末へ送信する第１収集情報送信ステップと、前記携帯端末が、前記近距離無線回線を介して、前記情報送信装置から前記収集情報を受信する第１収集情報受信ステップと、前記携帯端末が、広域無線回線を介して、前記収集情報を前記収集装置へ送信する第２収集情報送信ステップと、前記収集装置が、前記広域無線回線を介して、前記携帯端末から前記収集情報を受信する第２収集情報受信ステップと、前記中継検知手段が、前記携帯端末が前記収集情報の受信又は送信を行ったことを検知する中継検知ステップと、前記特典付与手段が、前記中継検知ステップにおいて、前記携帯端末によって前記収集情報の受信又は送信が行われたことが検知された場合に、その携帯端末に特典を付与する特典付与ステップと、を有する。
【００１３】
本発明が提供するプログラムは、情報送信装置、携帯端末、収集装置に、本発明が提供する情報収集システムが有する情報送信装置、携帯端末、収集装置として動作する機能をそれぞれ持たせる。
【００１４】
本発明が提供する情報送信装置は、本発明が提供する情報収集システムが有する情報送信装置である。
【００１５】
本発明が提供する携帯端末は、本発明が提供する情報収集システムが有する携帯端末である。
【００１６】
本発明が提供する収集装置は、本発明が提供する情報収集システムが有する収集装置である。
【発明の効果】
【００１７】
本発明によれば、広域無線回線を介して情報を収集する収集装置が、近距離無線回線を介して情報を送信する送信装置から、携帯端末を介して情報を収集する場合に、携帯端末を収集装置へ近づける技術が提供される。
【図面の簡単な説明】
【００１８】
【図１】実施形態１に係る情報収集システムを例示するブロック図である。
【図２】中継検知部と特典付与部の双方を収集装置に設けた場合の情報収集システム５０００を例示するブロック図である。
【図３】情報送信装置のハードウエア構成を例示するブロック図である。
【図４】携帯端末のハードウエア構成を例示するブロック図である。
【図５】収集装置のハードウエア構成を例示するブロック図である。
【図６】実施形態１の情報収集システムによって実行される処理の流れを例示するフローチャートである。
【図７】実施形態２に係る情報収集システムを例示するブロック図である。
【図８】特典付与情報をテーブル形式で例示する図である。
【図９】実施形態２の情報収集システムによって実行される処理の流れを示すフローチャートである。
【図１０】実施形態３に係る情報収集システムを例示するブロック図である。
【図１１】特典通知情報をテーブル形式で例示する図である。
【図１２】付与済端末数格納部が格納している情報をテーブル形式で例示する図である。
【図１３】実施形態３の情報収集システムによって実行される処理の流れを例示するフローチャートである。
【図１４】実施形態４に係る情報収集システムを例示するブロック図である。
【図１５】実施形態５に係る情報収集システムを例示するブロック図である。
【発明を実施するための形態】
【００１９】
以下、本発明の実施の形態について、図面を用いて説明する。尚、すべての図面において、同様な構成要素には同様の符号を付し、適宜説明を省略する。
【００２０】
[実施形態１]
図１は、実施形態１に係る情報収集システム５０００を例示するブロック図である。図１において、矢印の流れは情報の流れを示している。また、図１において、各ブロックは、ハードウエア単位の構成ではなく、機能単位の構成を示している。
【００２１】
情報収集システム５０００は、情報送信装置２０００、携帯端末３０００、及び収集装置４０００を有する。情報収集システム５０００は、情報送信装置２０００を複数有してもよい。
【００２２】
情報収集システム５０００は、情報収集の対象である機器から、その機器に関する情報を収集するシステムである。以下、情報収集の対象である機器に関する情報を、収集情報と表記する。収集対象の機器は、例えば自動販売機やプロパンガスのガスボンベなどである。収集情報は例えば、収集対象の機器のメンテナンスのために必要な情報である。収集対象の機器が例えば自動販売機である場合、収集情報は例えば、自動販売機の在庫情報である。収集対象の機器が例えばガスボンベである場合、収集情報は例えば、ガスボンベのガス残量である。
【００２３】
携帯端末３０００は、情報送信装置２０００にとって不特定の携帯端末である。不特定の携帯端末とは例えば、情報送信装置２０００の運用・管理を行っている企業等と直接関連のない、一般人が用いる携帯端末である。収集対象の機器が例えば自動販売機である場合、不特定の携帯端末は例えば、自動販売機から商品を購入する一般人が使用する携帯電話である。ただし、携帯端末３０００は、情報送信装置２０００にとって特定の携帯端末であってもよい。特定の携帯端末とは、例えば、情報送信装置２０００の運用・管理を行っている企業等に雇用された情報収集の担当者が使用する携帯端末である。
【００２４】
情報送信装置２０００は、情報収集の対象である機器から収集情報を取得し、携帯端末３０００に対して送信する。ここで、情報収集の対象である機器は、例えば情報送信装置２０００自身である。また、情報収集の対象である機器は、情報送信装置２０００以外であってもよい。例えば、情報収集の対象である機器の筐体の内部または外部に情報送信装置２０００が備え付けられているとしても良い。例えば、情報収集の対象である機器の筐体の近傍に、情報送信装置２０００が設置されているとしても良い。
【００２５】
収集装置４０００は、情報送信装置２０００によって取得された収集情報を、携帯端末３０００を介して受信する。例えば収集装置４０００は、収集情報を格納するデータベースである。また例えば、収集装置４０００は、収集情報を解析する装置である。
【００２６】
情報送信装置２０００は、対象の機器から取得した収集情報を、近距離無線回線を介して携帯端末３０００へ送信する。携帯端末３０００は、情報送信装置２０００から受信した収集情報を、広域無線回線を介して収集装置４０００へ送信する。以下、情報送信装置２０００から収集情報を受信し、その収集情報を収集装置４０００へ送信することを、「収集情報を中継する」とも表記する。
【００２７】
このように、携帯端末３０００は、近距離無線通信を行って情報を送信する情報送信装置２０００と、広域無線通信を行って情報を受信する収集装置４０００との間の通信を中継する。これにより、情報送信装置２０００は、広域無線回線を使用する必要がない。以下、情報送信装置２０００、携帯端末３０００、及び収集装置４０００についてそれぞれ説明する。
【００２８】
＜情報送信装置２０００＞
情報送信装置２０００は、収集情報取得部２０２０及び収集情報送信部２０４０を有する。収集情報取得部２０２０は、収集情報を取得する。収集情報送信部２０４０は、近距離無線回線を介して、収集情報を携帯端末３０００へ送信する。
【００２９】
＜携帯端末３０００＞
携帯端末３０００は、収集情報受信部３０２０及び収集情報送信部３０４０を有する。収集情報受信部３０２０は、近距離無線回線を介して、情報送信装置２０００から収集情報を受信する。収集情報送信部３０４０は、広域無線回線を介して、収集情報を収集装置４０００へ送信する。
【００３０】
＜収集装置４０００＞
収集装置４０００は、収集情報受信部４０２０を有する。収集情報受信部４０２０は、広域無線回線を介して、携帯端末３０００から収集情報を受信する。
【００３１】
＜中継検知部５０２０と特典付与部５０４０＞
情報収集システム５０００は、さらに、中継検知部５０２０及び特典付与部５０４０を有する。中継検知部５０２０は、携帯端末３０００が収集情報の受信又は送信を行ったことを検知する。特典付与部５０４０は、中継検知部５０２０が携帯端末３０００によって収集情報の受信又は送信が行われたことを検知した場合に、その携帯端末３０００に特典を付与する。
【００３２】
例えば中継検知部５０２０と特典付与部５０４０はそれぞれ、情報送信装置２０００又は収集装置４０００に設けられる。また、中継検知部５０２０と特典付与部５０４０は、図１に図示されていない別の装置に設けられてもよい。なお、中継検知部５０２０と特典付与部５０４０は、同一の装置に設けられてもよいし、異なる装置に設けられてもよい。図２は、中継検知部５０２０と特典付与部５０４０の双方を収集装置４０００に設けた場合を例示するブロック図である。
【００３３】
＜作用・効果＞
本発明によれば、中継検知部５０２０が、携帯端末３０００による収集情報の受信又は送信を検知した場合に、その携帯端末３０００に対して特典が付与される。そのため、携帯端末３０００のユーザは、特典を得るために、携帯端末３０００を用いて積極的に収集情報の中継を行うようになると考えられる。例えば、携帯端末３０００のユーザは、特典を得るために、情報送信装置２０００と携帯端末３０００とが通信可能な場所まで移動するようになる。このように、携帯端末３０００が情報送信装置２０００に近づくようになる。その結果、収集装置４０００が、収集情報を取得できる確率が高くなる。また、携帯端末３０００が自然に情報送信装置２０００へ近づくことを待つ場合と比較し、収集装置４０００が収集情報を取得するまでに要する時間が短くなる。
【００３４】
＜情報送信装置２０００のハードウエア構成＞
情報送信装置２０００が有する各機能構成部は、例えば、個々に又は複数組み合わせられた状態で、少なくとも１つのハードウエア構成要素として実現される。その他にも例えば、各機能構成部は、少なくとも１つのソフトウエア構成要素として実現される。その他にも例えば、各機能構成部は、ハードウエア構成要素とソフトウエア構成要素の組み合わせにより実現される。
【００３５】
図３は、情報送信装置２０００のハードウエア構成を例示するブロック図である。図３において、情報送信装置２０００は、バス１０２０、プロセッサ１０４０、メモリ１０６０、ストレージ１０８０、及び近距離無線通信アダプタ１１００を有する。
【００３６】
バス１０２０は、プロセッサ１０４０、メモリ１０６０、ストレージ１０８０、及び近距離無線通信アダプタ１１００が、相互にデータを送受信するためのデータ伝送路である。プロセッサ１０４０は、例えば CPU (Central Processing Unit) や GPU (Graphics Processing Unit) などの演算処理装置である。メモリ１０６０は、例えば RAM (Random Access Memory) や ROM (Read Only Memory) などのメモリである。ストレージ１０８０は、例えばメモリカード、ハードディスク、又は SSD (Solid State Drive) などの記憶装置である。また、ストレージ１０８０は、RAM や ROM 等のメモリであってもよい。
【００３７】
近距離無線通信アダプタ１１００は、近距離無線回線を介して携帯端末３０００と通信可能に接続するためのネットワークアダプタである。
【００３８】
収集情報取得モジュール１２２０は、情報送信装置２０００に、収集情報取得部２０２０の機能を持たせるためのプログラムである。プロセッサ１０４０は、収集情報取得モジュール１２２０を実行することで、収集情報取得部２０２０の機能を実現する。
【００３９】
収集情報送信モジュール１２４０は、情報送信装置２０００に、収集情報送信部２０４０の機能を持たせるためのプログラムである。プロセッサ１０４０は、収集情報送信モジュール１２４０を実行することで、収集情報送信部２０４０の機能を実現する。
【００４０】
例えばプロセッサ１０４０は、上記各モジュールをメモリ１０６０上に読み出して実行する。ただし、プロセッサ１０４０は、上記各モジュールを、メモリ１０６０上に読み出さずに実行してもよい。
【００４１】
ストレージ１０８０は、上記各モジュールを格納する。
【００４２】
情報送信装置２０００のハードウエア構成は、図３に示した構成に限定されない。例えば、各モジュールはメモリ１０６０に格納されてもよい。この場合、情報送信装置２０００は、ストレージ１０８０を備えていなくてもよい。
【００４３】
＜携帯端末３０００のハードウエア構成＞
携帯端末３０００が有する各機能構成部は、例えば、個々に又は複数組み合わせられた状態で、少なくとも１つのハードウエア構成要素として実現される。その他にも例えば、各機能構成部は、少なくとも１つのソフトウエア構成要素として実現される。その他にも例えば、各機能構成部は、ハードウエア構成要素とソフトウエア構成要素の組み合わせにより実現される。
【００４４】
図４は、携帯端末３０００のハードウエア構成を例示するブロック図である。図４において、携帯端末３０００は、バス６０２０、プロセッサ６０４０、メモリ６０６０、ストレージ６０８０、近距離無線通信アダプタ６１００、及び広域無線通信アダプタ６１２０を有する。バス６０２０、プロセッサ６０４０、メモリ６０６０、ストレージ６０８０、近距離無線通信アダプタ６１００はそれぞれ、バス１０２０、プロセッサ１０４０、メモリ１０６０、ストレージ１０８０、近距離無線通信アダプタ１１００と同様の機能を有する。広域無線通信アダプタ６１２０は、広域無線回線を介して収集装置４０００と通信可能に接続するためのネットワークアダプタである。
【００４５】
収集情報受信モジュール６２２０は、携帯端末３０００に、収集情報受信部３０２０の機能を持たせるためのプログラムである。プロセッサ６０４０は、収集情報受信モジュール６２２０を実行することで、収集情報受信部３０２０の機能を実現する。
【００４６】
収集情報送信モジュール６２４０は、携帯端末３０００に、収集情報送信部３０４０の機能を持たせるためのプログラムである。プロセッサ６０４０は、収集情報送信部３０４０を実行することで、収集情報送信部３０４０の機能を実現する。
【００４７】
なお、情報送信装置２０００の構成が図３の構成に限定されないことと同様に、携帯端末３０００の構成は図４の構成に限定されない。
【００４８】
＜収集装置４０００のハードウエア構成＞
収集装置４０００が有する各機能構成部は、例えば、個々に又は複数組み合わせられた状態で、少なくとも１つのハードウエア構成要素として実現される。その他にも例えば、各機能構成部は、少なくとも１つのソフトウエア構成要素として実現される。その他にも例えば、各機能構成部は、ハードウエア構成要素とソフトウエア構成要素の組み合わせにより実現される。
【００４９】
図５は、収集装置４０００のハードウエア構成を例示するブロック図である。なお、図５は、中継検知部５０２０と特典付与部５０４０が収集装置４０００に設けられている場合の図である。図５において、収集装置４０００は、バス７０２０、プロセッサ７０４０、メモリ７０６０、ストレージ７０８０、及び広域無線通信アダプタ７１２０を有する。バス７０２０、プロセッサ７０４０、メモリ７０６０、ストレージ７０８０はそれぞれ、バス１０２０、プロセッサ１０４０、メモリ１０６０、ストレージ１０８０と同様の機能を有する。広域無線通信アダプタ７１２０は、広域無線通信アダプタ６１２０と同様の機能を有する。収集装置４０００は、広域無線通信アダプタ７１２０を用いて、携帯端末３０００と通信を行う。
【００５０】
収集情報受信モジュール７２２０は、収集装置４０００に、収集情報受信部４０２０の機能を持たせるためのプログラムである。プロセッサ７０４０は、収集情報受信モジュール７２２０を実行することで、収集情報受信部４０２０の機能を実現する。
【００５１】
中継検知モジュール７２４０は、収集装置４０００に、中継検知部５０２０の機能を持たせるためのプログラムである。プロセッサ７０４０は、中継検知モジュール７２４０を実行することで、中継検知部５０２０の機能を実現する。
【００５２】
特典付与モジュール７２６０は、収集装置４０００に、特典付与部５０４０の機能を持たせるためのプログラムである。プロセッサ７０４０は、特典付与モジュール７２６０を実行することで、特典付与部５０４０の機能を実現する。
【００５３】
中継検知モジュール７２４０と中継検知モジュール７２４０はそれぞれ、中継検知部５０２０と特典付与部５０４０を実現する装置に格納される。例えば、中継検知部５０２０と特典付与部５０４０が情報送信装置２０００に設けられる場合、中継検知モジュール７２４０と特典付与モジュール７２６０は、ストレージ１０８０の内部に格納され、プロセッサ１０４０によって実行される。
【００５４】
なお、情報送信装置２０００の構成が図３の構成に限定されないことと同様に、収集装置４０００の構成は図５の構成に限定されない。
【００５５】
＜処理の流れ＞
図６は、実施形態１の情報収集システム５０００によって行われる処理の流れを例示するフローチャートである。ここで、図６のフローチャートでは、中継検知部５０２０と特典付与部５０４０とが、収集装置４０００に設けられている場合を例示している。
【００５６】
ステップＳ１０２において、収集情報取得部２０２０は、収集情報を取得する。ステップＳ１０４において、収集情報送信部２０４０は、近距離無線回線を介して、収集情報を送信する。
【００５７】
ステップＳ１０６において、収集情報受信部３０２０は、近距離無線回線を介して、収集情報を受信する。ステップＳ１０８において、収集情報送信部３０４０は、広域無線回線を介して、収集情報を収集装置４０００へ送信する。
【００５８】
ステップＳ１１０において、収集情報受信部４０２０は、広域無線回線を介して、収集情報を受信する。ステップＳ１１２において、中継検知部５０２０は、携帯端末３０００が収集情報の受信又は送信を行ったことを検知する。ステップＳ１１４において、特典付与部５０４０は、携帯端末３０００に特典を付与する。
【００５９】
なお、中継検知部５０２０が情報送信装置２０００に設けられている場合、ステップＳ１１２は情報送信装置２０００によって実行される。同様に、特典付与部５０４０が情報送信装置２０００に設けられている場合、ステップＳ１１４は情報送信装置２０００によって実行される。
【００６０】
以下、本実施形態の情報収集システム５０００について、さらに詳細に説明する。
【００６１】
＜収集情報取得部２０２０の詳細＞
収集情報取得部２０２０が対象機器から収集情報を取得する契機は様々である。例えば収集情報取得部２０２０には、収集情報を取得する時点や取得する時間間隔が設定されている。収集情報取得部２０２０は、この設定に従って、収集情報の取得を行う。ここで、収集情報の種類が複数ある場合、例えば収集情報取得部２０２０には、収集情報の種類ごとに上記設定がされている。
【００６２】
収集情報取得部２０２０は、不定期に収集情報を取得してもよい。例えば、収集情報取得部２０２０は、対象機器から収集情報が送信された場合に、その収集情報を受信することによって、収集情報を取得する。
【００６３】
また例えば、情報送信装置２０００が、通信可能な範囲に存在する携帯端末３０００を検知したことを契機に、収集情報取得部２０２０は収集情報を取得してもよい。通信可能な範囲に携帯端末等の通信機器が存在することを検知する技術は既知の技術であるため、この技術の詳細な説明は省略する。
【００６４】
＜中継検知部５０２０の詳細＞
中継検知部５０２０は、収集情報の受信又は送信を行った携帯端末３０００の ID などを検知する。例えば携帯端末３０００の ID は、携帯端末３０００のレイヤ２アドレス（例：MAC アドレス）やレイヤ３アドレス（例：IP アドレス）である。
【００６５】
さらに、特典付与部５０４０が収集情報に応じた特典を付与する場合、中継検知部５０２０は、携帯端末３０００によって受信又は送信された収集情報の ID を検知する。例えば収集情報の ID は、収集情報の取得元である機器の ID や、その収集情報を送信した情報送信装置２０００の ID である。また、収集情報の ID は、機器や情報送信装置２０００に対応する収集情報に付与される通し番号等を含んでもよい。さらに、収集情報の ID は、収集情報の種類を表す情報を含んでもよい。
【００６６】
中継検知部５０２０が、携帯端末３０００によって収集情報が受信されたことを検知する場合、中継検知部５０２０は、受信検知部５０２２を有する。受信検知部５０２２は、携帯端末３０００によって収集情報が受信されたことを検知する。
【００６７】
例えば受信検知部５０２２は、収集情報送信部２０４０の動作を監視することで、携帯端末３０００によって収集情報が受信されたことを検知する。この場合、受信検知部５０２２は、情報送信装置２０００に設けられることが好ましい。
【００６８】
例えば、収集情報送信部２０４０が収集情報を携帯端末３０００に対して送った場合に、携帯端末３０００が、収集情報を受信した旨の応答を返すとする。この場合、受信検知部５０２２は、情報送信装置２０００がこの応答を受信した場合に、携帯端末３０００によって収集情報が受信されたとみなす。
【００６９】
その他にも例えば、受信検知部５０２２は、収集情報送信部２０４０が携帯端末３０００に対して収集情報を送信した場合に、その収集情報が携帯端末３０００に受信されたとみなしてもよい。また例えば、受信検知部５０２２は、収集情報受信部３０２０の動作を監視することで、収集情報受信部３０２０が収集情報を受信したことを検知してもよい。
【００７０】
なお、受信検知部５０２２は、収集情報送信部２０４０や収集情報受信部３０２０から所定の通知を受信することで、携帯端末３０００が収集情報の受信を行ったことを検知してもよい。例えばこの所定の通知は、収集情報送信部２０４０が収集情報受信部３０２０から上記の応答を受信したことを示す通知、収集情報送信部２０４０が収集情報を送信したことを示す通知、収集情報受信部３０２０が収集情報を受信したことを示す通知などである。
【００７１】
中継検知部５０２０が、携帯端末３０００によって収集情報が送信されたことを検知する場合、中継検知部５０２０は、送信検知部５０２４を有する。送信検知部５０２４は、携帯端末３０００によって収集情報が送信されたことを検知する。
【００７２】
例えば送信検知部５０２４は、収集情報受信部４０２０の動作を監視することで、携帯端末３０００によって収集情報が送信されたことを検知する。具体的には、送信検知部５０２４は、収集情報受信部４０２０によって送信情報が受信された場合に、携帯端末３０００によって収集情報が送信されたとみなす。この場合、送信検知部５０２４は、収集装置４０００に設けられることが好ましい。
【００７３】
その他にも例えば、送信検知部５０２４は、収集情報送信部３０４０の動作を監視することで、収集情報送信部３０４０が収集情報を送信したことを検知してもよい。
【００７４】
なお、送信検知部５０２４は、収集情報送信部３０４０や収集情報受信部４０２０から所定の通知を受信することで、携帯端末３０００が収集情報の送信を行ったことを検知してもよい。例えばこの所定の通知は、収集情報送信部３０４０が収集情報を送信したことを示す通知や、収集情報受信部４０２０が収集情報を受信したことを示す通知などである。
【００７５】
中継検知部５０２０が、受信検知部５０２２と送信検知部５０２４とを有する場合、受信検知部５０２２と送信検知部５０２４は、それぞれ別の装置に設けられてもよい。例えば、受信検知部５０２２は情報送信装置２０００に設けられ、送信検知部５０２４は収集装置４０００に設けられる。ただし、受信検知部５０２２が設けられる装置は情報送信装置２０００に限定されないし、送信検知部５０２４が設けられる装置は収集装置４０００に限定されない。例えば受信検知部５０２２と送信検知部５０２４は、図１に図示していない別の装置に設けられてもよい。
【００７６】
＜特典付与部５０４０の詳細＞
特典付与部５０４０が携帯端末３０００に対して付与する特典は様々である。例えば特典付与部５０４０は、携帯端末３０００に対して、「特典の商品を購入する際に割引を受けることができる」という特典を与える。その他にも例えば、この特典は、特定の懸賞への応募資格などであってもよい。また例えば、この特典は、「通常では購入することができない特別な商品を購入する権利」であってもよい。
【００７７】
特典付与部５０４０が携帯端末３０００に対して特典を付与する方法は様々である。例えば特典付与部５０４０は、携帯端末３０００に対して、付与する特典に関する情報を送信する。携帯端末３０００は、特典付与部５０４０から受信した特典に関する情報を、携帯端末３０００の内部又は外部に備える格納部へ格納する。携帯端末３０００は、この格納部へアクセスすることで、付与された特典を参照したり、利用したりする。
【００７８】
また例えば、携帯端末３０００に対して付与された特典を管理する特典管理システムを別途設けてもよい。この場合、特典付与部５０４０は、携帯端末３０００の ID と、その携帯端末３０００に付与する特典とを対応づけた情報を、上記特典管理システムへ送信する。特典管理システムは、携帯端末３０００の ID と、その携帯端末３０００に付与されている特典とを対応づけて管理する。なお、１つの携帯端末３０００に付与されている特典は、複数であってもよい。携帯端末３０００は、この特典管理システムにアクセスすることで、付与された特典を参照したり、利用したりする。
【００７９】
＜通信回線の詳細＞
携帯端末３０００と情報送信装置２０００との間を接続する近距離無線回線は、例えば Wi-Fi（Wireless Fidelity）に代表される無線 LAN や、Bluetooth（登録商標）、ZigBee 等の通信規格で通信を行う無線回線である。また、携帯端末３０００と情報送信装置２０００とは、赤外線通信や RFID を用いて通信してもよい。
【００８０】
携帯端末３０００と収集装置４０００との間を接続する広域無線回線は、例えば PHS（Personal Handy-phone System）、3G（3rd Generation）、WiMAX（Worldwide Interoperability for Microwave Access）、LTE（Long Term Evolution）等の通信規格で通信を行う無線回線である。
【００８１】
＜実施例１＞
情報送信装置２０００が、商品を販売する自動販売機であるとする。また、携帯端末３０００が、電子マネーを利用して情報送信装置２０００から商品を購入できるとする。例えば、携帯端末３０００は、電子マネー決済の機能を有する IC チップを有する。また、情報送信装置２０００は、この IC チップと情報をやり取りする電子マネー決済部を備える。
【００８２】
この場合、携帯端末３０００は、収集情報を受信する処理と、電子マネー決済を行う処理とを、連続した処理として行ってもよい。具体的には、次のような流れで処理が行われる。まず、携帯端末３０００のユーザは、携帯端末３０００の IC チップを、情報送信装置２０００の電子マネー決済部に近接させる。すると、情報送信装置２０００は、携帯端末３０００に対して収集情報を送信する。携帯端末３０００は、この収集情報を受信して、収集装置４０００へ送信する。中継検知部５０２０は、収集情報の受信や送信が行われたこと検知する。そして、特典付与部５０４０は、携帯端末３０００に対して特典を付与する。
【００８３】
上述の流れで処理が行われると、携帯端末３０００のユーザは、商品を購入する際に、収集情報や特典について意識することなく自然な流れで、収集情報の中継及び特典の取得ができる。
【００８４】
[実施形態２]
図７は、実施形態２に係る情報収集システム５０００を例示するブロック図である。図７において、矢印の流れは情報の流れを示している。また、図７において、各ブロックは、ハードウエア単位の構成ではなく、機能単位の構成を示している。
【００８５】
実施形態２の携帯端末３０００は、特典付与情報取得部３０６０及び特典付与情報送信部３０８０を有する。特典付与情報取得部３０６０は、特典付与情報を取得する。特典付与情報は、特典付与部５０４０によって付与された特典の内容を表す情報である。特典付与情報送信部３０８０は、特典付与情報を情報送信装置２０００に対して送信する。例えば特典付与情報取得部３０６０は、特典付与部５０４０から、又は携帯端末３０００に対して付与された特典を管理する管理システムから、特典付与情報を取得する。
【００８６】
実施形態２の情報送信装置２０００は、特典付与情報受信部２０６０及びタスク実行部２０８０を有する。特典付与情報受信部２０６０は、携帯端末３０００から特典付与情報を受信する。タスク実行部２０８０は、所定タスクを実行する。ここで、タスク実行部２０８０は、特典付与情報受信部２０６０によって受信された特典付与情報が示す特典に応じて、所定タスクの実行を制御する。
【００８７】
タスク実行部２０８０が実行する上記所定タスクは様々である。例えば、情報送信装置２０００が自動販売機であるとする。この場合、例えば上記所定タスクは、商品の販売処理である。
【００８８】
この場合、携帯端末３０００に対して付与される特典は、例えば情報送信装置２０００が販売する商品の代金の割引である。この場合、特典付与情報は、どの程度の割引を行うかを示す情報や、割引対象の商品を特定する情報を示している。タスク実行部２０８０は、特典付与情報受信部２０６０によって受信された特典付与情報に基づいて、販売する商品の割引を行う。
【００８９】
例えば携帯端末３０００のユーザは、情報送信装置２０００から送信される収集情報を携帯端末３０００によって受信又は送信した後、情報送信装置２０００で販売されている商品を購入する。この際、携帯端末３０００は、特典付与情報送信部３０８０を動作させることで、情報送信装置２０００へ特典付与情報を送信する。
【００９０】
また例えば、特典付与情報が、「通常では購入できない特別な商品を購入できる権利」であるとする。特典付与情報受信部２０６０が携帯端末３０００からこの特典を示す特典付与情報を受信した場合、タスク実行部２０８０は、上述した特別な商品を、購入できる商品として表示する処理を行う。
【００９１】
なお、情報送信装置２０００と携帯端末３０００とが、実施例１で説明した機能を有するとする。この場合、携帯端末３０００は、収集情報を受信する処理と、特典付与情報を送信する処理と、電子マネー決済を行う処理とを、連続した処理として行ってもよい。
【００９２】
図８は、特典付与情報をテーブル形式で例示する図である。図８に示すテーブルを、特典付与情報テーブル２００と表記する。特典付与情報テーブル２００は、収集情報２０２、特典２０４、及び所在地２０６という列を有している。
【００９３】
収集情報 ID ２０２は、携帯端末３０００によって受信又は送信された収集情報を特定する情報である。特典付与情報テーブル２００の各レコードは、収集情報２０２で特定される収集情報を送信したことに対して携帯端末３０００に付与した特典を、特典２０４で表す。
【００９４】
例えば収集情報 ID ２０２は、その収集情報を送信した情報送信装置２０００の ID と、その情報送信装置２０００によって取得された収集情報に付与される通し番号によって特定される。例えば図８の１行目の収集情報２０２が示す C1-0001 は、情報送信装置２０００の ID が C1 であり、通し番号が0001 である収集情報を表す。
【００９５】
さらに、収集情報 ID ２０２は、収集情報の種類を特定する情報を含んでいてもよい。例えば図８の２行目の収集情報 ID ２０２が示す C1-G1-0001 は、情報送信装置２０００の ID が C1 であり、種類の ID が G1 であり、通し番号が 0001 である収集情報を表す。
【００９６】
所在地２０６は、収集情報２０２で特定される収集情報に対応する情報送信装置２０００の所在地を表す。例えば所在地２０６は、住所や地図データによって表される。例えば地図データは、特定の地図アプリケーションにおける座標や、GPS（Global Positioning System）等の汎用システムにおける座標で表される。
【００９７】
所在地２０６は、特典２０４で示される特典を付与された携帯端末３０００のユーザが、その特典を利用できる情報送信装置２０００の場所まで移動するために用いられる。ただし、携帯端末３０００は、情報送信装置２０００の所在地を別の方法で取得してもよい。この場合、特典付与情報テーブル２００は、所在地２０６を含まなくてもよい。
【００９８】
＜処理の流れ＞
図９は、実施形態２の情報収集システム５０００によって実行される処理の流れを示すフローチャートである。ここで、図９において、図６に同符号のステップがあるステップは、図６における同符号のステップと同様の処理を表す。
【００９９】
ステップＳ２０２において、特典付与情報取得部３０６０は、特典付与情報を取得する。ステップＳ２０４において、特典付与情報送信部３０８０は、特典付与情報を情報送信装置２０００に対して送信する。
【０１００】
ステップＳ２０６において、特典付与情報受信部２０６０は、特典付与情報を受信する。ステップＳ２０８において、タスク実行部２０８０は、特典付与情報受信部２０６０によって受信された特典付与情報が示す特典に応じて、所定タスクの実行を制御する。
【０１０１】
＜作用・効果＞
本実施形態によれば、携帯端末３０００に付与された特典に従って、情報送信装置２０００が実行するタスクが制御される。例えば、上述したように、情報送信装置２０００から購入する商品の割引などが行われる。そのため、携帯端末３０００のユーザは、より積極的に情報送信装置２０００へ近づくようになる。
【０１０２】
[実施形態３]
図１０は、実施形態３に係る情報収集システム５０００を例示するブロック図である。図１０において、矢印の流れは情報の流れを示している。また、図１０において、各ブロックは、ハードウエア単位の構成ではなく、機能単位の構成を示している。
【０１０３】
実施形態３の情報収集システム５０００は、特典通知情報送信部５０６０及び付与済端末数格納部５０８０を有する。特典通知情報送信部５０６０は、携帯端末３０００に対し、特典付与部５０４０によって付与される特典の内容を示す情報である特典通知情報を送信する。ここで、実施形態２で説明した特典付与情報は、「既に携帯端末３０００に対して付与された特典」を表す情報であるのに対し、特典通知情報は、「もし収集情報の受信又は送信を行ったら、携帯端末３０００はどのような特典を得ることができるのか」を表す情報である。携帯端末３０００のユーザは、取得した特典通知情報を見ることで、収集情報の受信又は送信を行うとどのような特典を得ることができるかを知ることができる。
【０１０４】
付与済端末数格納部５０８０は、収集情報に対応づけて、付与済端末数を格納する。収集情報に対応する付与済端末数は、その収集情報の受信又は送信を行ったことによって特典付与部５０４０から特典を付与された携帯端末３０００の数を表す。
【０１０５】
例えば特典通知情報送信部５０６０と付与済端末数格納部５０８０は、情報送信装置２０００又は収集装置４０００に設けられる。また、特典通知情報送信部５０６０と付与済端末数格納部５０８０は、図１０に図示されていない別の装置に設けられてもよい。特典通知情報送信部５０６０と付与済端末数格納部５０８０は、同じ装置に設けられてもよいし、異なる装置に設けられてもよい。
【０１０６】
実施形態３の携帯端末３０００は、特典通知情報受信部３１００を有する。特典通知情報受信部３１００は、特典通知情報を受信する。
【０１０７】
実施形態３の特典付与部５０４０は、中継検知部５０２０が、携帯端末３０００によって収集情報の受信又は送信が行われたことを検知した場合、その収集情報に対応する付与済端末数が所定端末数以下であるときのみ、その携帯端末３０００に対して特典を付与する。そして、特典付与部５０４０は、携帯端末３０００に対して特典を付与した場合、付与済端末数格納部５０８０に格納されている付与済端末数を更新する。具体的には、付与済端末数に１を加算する。
【０１０８】
例えば特典通知情報送信部５０６０は、複数の携帯端末３０００に対して一斉に若しくはほぼ同じタイミングで、特典通知情報を送信する。この特典通知情報は、例えば、「先着Ｘ台の携帯端末に特典を付与する」という情報を示す。ここで、このXは、所定端末数である。
【０１０９】
なお、特典通知情報送信部５０６０は、付与済端末数格納部５０８０に格納されている付与済端末数を、あるタイミングで０に初期化してもよい。例えば、情報収集システム５０００が、「毎日、先着Ｘ台の携帯端末に特典を付与する」という方法で特典を付与する。この場合、例えば情報収集システム５０００は、日付が変わるごとに、付与済端末数格納部５０８０に格納されている付与済端末数を０に初期化する。
【０１１０】
図１１は、特典通知情報をテーブル形式で例示する図である。図１１に示されているテーブルを、特典通知情報テーブル３００と表記する。特典通知情報テーブル３００は、収集情報 ID ３０２、特典３０４、所在地３０６、及び所定端末数３０８という列を有する。収集情報 ID ３０２は、図８の収集情報 ID ２０２と同様である。特典通知情報テーブル３００の各レコードは、収集情報３０２で特定される収集情報の受信又は送信を行った場合に、携帯端末３０００に対して付与される特典を、特典３０４に示す。所在地３０６は、所在地２０６と同様に、収集情報 ID ３０２に対応する情報送信装置２０００の所在地を示す。
【０１１１】
所定端末数３０８は、特典３０４に示す特典を得ることができる携帯端末３０００の数を表す。所定端末数３０８は、特典付与部５０４０が利用する所定端末数と同一の値を示す。なお、特典通知情報テーブル３００は、所定端末数３０８を示さなくてもよい。
【０１１２】
図１２は、付与済端末数格納部５０８０が格納している情報をテーブル形式で例示する図である。図１２に示されているテーブルを、付与済端末数テーブル４００と表記する。収集情報 ID ４０２は、図８の収集情報取得部２０２０と同様である。付与済端末数テーブル４００の各レコードは、収集情報 ID ４０２で特定される収集情報に対応する付与済端末数を、付与済端末数４０４で表す。
【０１１３】
＜処理の流れ＞
図１３は、実施形態３の情報収集システム５０００によって実行される処理の流れを例示するフローチャートである。ここで、図１３において、情報収集システム５０００は、ステップＳ３０４に続いて、図６におけるステップＳ１０２からＳ１１２を実行する。そして、情報収集システム５０００は、ステップＳ１１２の後に、ステップＳ３０６を実行する。図が煩雑になるのを避けるため、図１３において、ステップＳ１０４からＳ１１０は省略されている。
【０１１４】
ステップＳ３０２において、特典通知情報送信部５０６０は、特典通知情報を送信する。ステップＳ３０４において、特典付与情報送信部３０８０は、特典通知情報を受信する。
【０１１５】
ステップＳ３０４は、中継検知部５０２０による検知（ステップＳ１１２）が行われた後に実行される。ステップＳ３０６において、中継検知部５０２０は、付与済端末数格納部５０８０から、付与済端末数を取得する。ステップＳ３０８において、中継検知部５０２０は、付与済端末数が所定端末数以下であるか否かを判定する。付与済端末数が所定端末数以下である場合（ステップＳ３０８：ＹＥＳ）、図１３の処理は、ステップＳ３１０に進む。一方、付与済端末数が所定端末数より大きい場合（ステップＳ３０８：ＮＯ）、図１３の処理は終了する。したがって、後者の場合、携帯端末３０００に対して特典が付与されない。
【０１１６】
ステップＳ３１０において、中継検知部５０２０は、携帯端末３０００に対して特典を付与する。
【０１１７】
＜作用・効果＞
本実施形態において、携帯端末３０００には、収集情報の送信又は受信を行った場合に得ることができる特典に関する情報が、事前に通知される。また、特典付与部５０４０によって特典が付与される携帯端末３０００の数が限られている。まず、携帯端末３０００のユーザは、特典通知情報によって特典の内容を知ることができる。そのため、携帯端末３０００のユーザが、より積極的に情報送信装置２０００へ近づいて、収集情報を中継するようになる。
【０１１８】
また、特典を得られる携帯端末３０００の数が限られているため、携帯端末３０００のユーザは、より早く収集情報の中継を行おうとする。そのため、収集装置４０００は、より早く収集情報を取得できるようになる。
【０１１９】
[実施形態４]
図１４は、実施形態４に係る情報収集システム５０００を例示するブロック図である。図１４において、矢印の流れは情報の流れを示している。また、図１４において、各ブロックは、ハードウエア単位の構成ではなく、機能単位の構成を示している。実施形態４の情報収集システム５０００は、下記に説明する点を除き、実施形態３の情報収集システム５０００と同様である。
【０１２０】
実施形態４の情報収集システム５０００は、電波強度取得部５１００を有する。電波強度取得部５１００は、各携帯端末３０００について、情報送信装置２０００との間の電波強度を取得する。例えば電波強度取得部５１００は、携帯端末３０００や情報送信装置２０００が有する近距離無線アダプタから、電波強度を示す情報を取得する。
【０１２１】
実施形態４の特典付与部５０４０は、電波強度が所定強度以上である携帯端末３０００に対してのみ、特典通知情報を送信する。
【０１２２】
情報送信装置２０００と携帯端末３０００との間の電波強度が低い場合、携帯端末３０００は、情報送信装置２０００から収集情報を受信できない蓋然性が高い。そこで、実施形態５の情報収集システム５０００は、情報送信装置２０００と各携帯端末３０００との電波強度に基づき、収集情報を受信できる蓋然性が高い情報送信装置２０００に対してのみ、特典情報を通知する。こうすることで、収集装置４０００が収集情報を取得できる確率が下がることを抑えつつ、特典通知情報を通知する対象の携帯端末３０００の数を減らすことができる。特典通知情報を通知する対象の携帯端末３０００の数が減ることで、特典通知情報送信部５０６０を実装している装置によって消費される計算機資源や消費エネルギーを削減することができる。
【０１２３】
例えば電波強度取得部５１００は、情報送信装置２０００又は収集装置４０００に設けられる。また、電波強度取得部５１００は、図１４に図示されていない別の装置に設けられてもよい。
【０１２４】
＜変形例＞
特典付与部５０４０は、電波強度が「所定強度以下」である携帯端末３０００に対してのみ、特典通知情報を送信するようにしてもよい。こうすることで、情報送信装置２０００との間の電波強度が低い携帯端末３０００のユーザに、情報送信装置２０００に対して近づくことを促すことができる。また、実施形態４の場合と同様に、特典通知情報を送信する対象の携帯端末３０００の数を少なくするため、特典通知情報送信部５０６０を実装している装置によって消費される計算機資源や消費エネルギーを少なくすることができるという効果もある。
【０１２５】
[実施形態５]
図１５は、実施形態５に係る情報収集システム５０００を示すブロック図である。図１５において、矢印の流れは情報の流れを示している。また、図１５において、各ブロックは、ハードウエア単位の構成ではなく、機能単位の構成を示している。実施形態５の情報収集システム５０００は、下記に説明する点を除き、実施形態１から４いずれか１つ又はこれらの組み合わせに係る情報収集システム５０００と同様である。
【０１２６】
実施形態５の中継検知部５０２０は、実施形態１で説明した受信検知部５０２２及び送信検知部５０２４の双方を有する。
【０１２７】
実施形態５の特典付与部５０４０は、第１特典付与部５０４２及び第２特典付与部５０４４を有する。第１特典付与部５０４２は、受信検知部５０２２が、携帯端末３０００によって収集情報の受信が行われたことを検知した場合に、その携帯端末３０００に第１特典を付与する。第２特典付与部５０４４は、送信検知部５０２４が、携帯端末３０００によって収集情報の送信が行われたことを検知した場合に、その携帯端末３０００に第２特典を付与する。
【０１２８】
例えば前述したように、携帯端末３０００に対して与えられる特典が、情報送信装置２０００から購入する商品の割引であるとする。この場合、例えば第１特典は商品を 10% 割引で購入できるという特典であり、第２特典は商品をさらに 10 % 割引で購入できるという特典である。この場合、収集情報の受信のみを行った携帯端末３０００は、10 % 引きの価格で商品を購入できるのに対し、収集情報の受信と送信の双方を行った携帯端末３０００は、20% 引きの価格で商品を購入できる。
【０１２９】
＜作用・効果＞
携帯端末３０００の視点からすると、収集情報の受信と送信は、別の処理である。そのため、携帯端末３０００は、収集情報の受信と送信とで、それぞれ計算機資源を消費する。そのため、携帯端末３０００のユーザは、収集情報の受信と送信それぞれに対して、対価が欲しいと考える可能性がある。
【０１３０】
そこで、本実施形態の特典付与部５０４０は、携帯端末３０００が収集情報を受信した場合と、携帯端末３０００が収集情報を送信した場合とのそれぞれにおいて、携帯端末３０００に対して特典を与える。これにより、携帯端末３０００のユーザの満足度が高くなるため、携帯端末３０００のユーザは、携帯端末３０００を用いてより積極的に収集情報の中継を行うようになる。したがって、収集装置４０００が収集情報を取得できる確率がより高くなる。
【０１３１】
[実施形態６]
実施形態６に係る情報収集システム５０００は、実施形態５の情報収集システム５０００と同様に、図１５で表される。実施形態６の情報収集システム５０００は、下記に説明する点を除き、実施形態１から４いずれか１つ又はこれらの組み合わせに係る情報収集システム５０００と同様である。
【０１３２】
実施形態６の中継検知部５０２０は、実施形態５の中継検知部５０２０と同様に、受信検知部５０２２及び送信検知部５０２４を有する。
【０１３３】
実施形態６の特典付与部５０４０は、同一の収集情報及び同一の携帯端末３０００について、受信検知部５０２２による検知及び送信検知部５０２４による検知の双方が行われた場合のみ、その携帯端末３０００に対して特典を付与する。つまり、実施形態５の情報収集システム５０００の場合と異なり、実施形態６の携帯端末３０００は、ある収集情報を情報送信装置２０００から受信し、かつその収集情報を収集装置４０００に対して送信した場合のみ、特典が付与される。
【０１３４】
＜作用・効果＞
情報送信装置２０００は、収集情報を送信するために、情報送信装置２０００の計算機資源を消費する。そのため、携帯端末３０００に送信した収集情報が収集装置４０００によって取得される確率が高いほど、情報送信装置２０００の計算機資源の利用効率が高くなる。そこで、本実施形態の特典通知情報送信部５０６０は、携帯端末３０００が収集情報の受信及び送信を行った場合のみ、携帯端末３０００に対して特典を付与する。このようにすると、収集情報の送信を行わない携帯端末３０００は、収集情報を受信しなくなると考えられる。その結果、情報送信装置２０００によって送信された収集情報が収集装置４０００に取得されない確率が小さくなるため、情報送信装置２０００の計算機資源の利用効率が高くなる。
【０１３５】
以上、図面を参照して本発明の実施形態について述べたが、これらは本発明の例示であり、上記実施形態の組み合わせ、及び上記実施形態以外の様々な構成を採用することもできる。
【符号の説明】
【０１３６】
２００ 特典付与情報テーブル
２０２ 収集情報 ID
２０４ 特典
２０６ 所在地
３００ 特典通知情報テーブル
３０２ 収集情報 ID
３０４ 特典
３０６ 所在地
３０８ 所定端末数
４００ 付与済端末数テーブル
４０２ 収集情報 ID
４０４ 付与済端末数
１０２０ バス
１０４０ プロセッサ
１０６０ メモリ
１０８０ ストレージ
１１００ 近距離無線通信アダプタ
１２２０ 収集情報取得モジュール
１２４０ 収集情報送信モジュール
２０００ 情報送信装置
２０２０ 収集情報取得部
２０４０ 収集情報送信部
２０６０ 特典付与情報受信部
２０８０ タスク実行部
３０００ 携帯端末
３０２０ 収集情報受信部
３０４０ 収集情報送信部
３０６０ 特典付与情報取得部
３０８０ 特典付与情報送信部
３１００ 特典通知情報受信部
４０００ 収集装置
４０２０ 収集情報受信部
５０００ 情報収集システム
５０２０ 中継検知部
５０２２ 受信検知部
５０２４ 送信検知部
５０４０ 特典付与部
５０４２ 第１特典付与部
５０４４ 第２特典付与部
５０６０ 特典通知情報送信部
５０８０ 付与済端末数格納部
５１００ 電波強度取得部
６０２０ バス
６０４０ プロセッサ
６０６０ メモリ
６０８０ ストレージ
６１００ 近距離無線通信アダプタ
６１２０ 広域無線通信アダプタ
６２２０ 収集情報受信モジュール
６２４０ 収集情報送信モジュール
７０２０ バス
７０４０ プロセッサ
７０６０ メモリ
７０８０ ストレージ
７１２０ 広域無線通信アダプタ
７２２０ 収集情報受信モジュール
７２４０ 中継検知モジュール
７２６０ 特典付与モジュール
【図１】
2015103037.tif 000003
【図２】
2015103037.tif 000004
【図３】
2015103037.tif 000005
【図４】
2015103037.tif 000006
【図５】
2015103037.tif 000007
【図６】
2015103037.tif 000008
【図７】
2015103037.tif 000009
【図８】
2015103037.tif 000010
【図９】
2015103037.tif 000011
【図１０】
2015103037.tif 000012
【図１１】
2015103037.tif 000013
【図１２】
2015103037.tif 000014
【図１３】
2015103037.tif 000015
【図１４】
2015103037.tif 000016
【図１５】
2015103037.tif 000017